(57)【要約】【課題】それぞれの総容量値（蓄積容量と表示容量との容量総和）が等しい複数のサブ画素ユニットを備え、カラー画面を表示することができる電子インク表示パネルを提供する。【解決手段】電子インク表示パネル１００は、アクティブデバイスアレイ基板２００、前面板３００及び電子インク層４００を備える。アクティブデバイスアレイ基板２００は、蓄積容量Ｃｓをそれぞれ有する複数のサブ画素ユニットＰｘをそれぞれ含む複数の画素ユニット２１０を有し、同一の画素ユニット２１０の中にある少なくとも１つのサブ画素ユニットＰｘとその他のサブ画素ユニットＰｘとは蓄積容量Ｃｓの容量値が異なる。前面板３００は、アクティブデバイスアレイ基板２００の上方に配置され、電子インク層４００は、アクティブデバイスアレイ基板２００と前面板３００との間に配置されている。【選択図】図３Ａ
2008276153.tif 000002
【特許請求の範囲】
【請求項１】
アクティブデバイスアレイ基板、前面板及び電子インク層を備える電子インク表示パネルであって、
前記アクティブデバイスアレイ基板は、蓄積容量をそれぞれ有する複数のサブ画素ユニットをそれぞれ含む複数の画素ユニットを有し、同一の前記画素ユニットの中にある少なくとも１つのサブ画素ユニットとその他のサブ画素ユニットとは蓄積容量の容量値が異なり、
前記前面板は、前記アクティブデバイスアレイ基板の上方に配置され、
前記電子インク層は、前記アクティブデバイスアレイ基板と前記前面板との間に配置されていることを特徴とする電子インク表示パネル。
【請求項２】
前記アクティブデバイスアレイ基板は、
基板と、
前記基板上に配置された複数の走査線と、
前記基板上に配置された複数のデータ線と、をさらに有し、
前記データ線及び前記走査線により前記基板上が複数の画素領域に画成されていることを特徴とする請求項１に記載の電子インク表示パネル。
【請求項３】
前記画素ユニットの各々は、
第１の蓄積容量を有する第１のサブ画素ユニットと、
第２の蓄積容量を有する第２のサブ画素ユニットと、
第３の蓄積容量を有する第３のサブ画素ユニットと、を有し、
前記画素ユニットの前記第１のサブ画素ユニット、前記第２のサブ画素ユニット及び前記第３のサブ画素ユニットは、それぞれ同一の前記走査線と電気的に接続され、互いに隣接した３つの前記画素領域の中にそれぞれ配置されていることを特徴とする請求項２に記載の電子インク表示パネル。
【請求項４】
前記前面板は、
前記電子インク層上に配置された共通電極と、
前記共通電極上に配置された保護膜と、を有することを特徴とする請求項３に記載の電子インク表示パネル。
【請求項５】
前記第１のサブ画素ユニットは、第１のアクティブデバイスと、該第１のアクティブデバイスに電気的に接続された第１の画素電極と、を有し、
前記第２のサブ画素ユニットは、第２のアクティブデバイスと、該第２のアクティブデバイスに電気的に接続された第２の画素電極と、を有し、
前記第３のサブ画素ユニットは、第３のアクティブデバイスと、該第３のアクティブデバイスに電気的に接続された第３の画素電極と、を有することを特徴とする請求項４に記載の電子インク表示パネル。
【請求項６】
前記電子インク層は、
前記第１の画素電極上に配置された複数の第１のインク材料パターンと、
前記第２の画素電極上に配置された複数の第２のインク材料パターンと、
前記第３の画素電極上に配置された複数の第３のインク材料パターンと、を有することを特徴とする請求項５に記載の電子インク表示パネル。
【請求項７】
前記第１の蓄積容量の容量値はＣ１であり、
前記第２の蓄積容量の容量値はＣ２であり、
前記第３の蓄積容量の容量値はＣ３であり、
Ｃ１≠Ｃ２≠Ｃ３であることを特徴とする請求項６に記載の電子インク表示パネル。
【請求項８】
前記共通電極、前記第１のインク材料パターンのうちの１つ及び対応した前記第１の画素電極から構成されるキャパシタの容量値がＣｅ１であり、
前記共通電極、前記第２のインク材料パターンのうちの１つ及び対応した前記第２の画素電極から構成されるキャパシタの容量値がＣｅ２であり、
前記共通電極、前記第３のインク材料パターンのうちの１つ及び対応した前記第３の画素電極から構成されるキャパシタの容量値がＣｅ３であり、
Ｃｅ１≠Ｃｅ２≠Ｃｅ３、Ｃ１＋Ｃｅ１＝Ｃ２＋Ｃｅ２＝Ｃ３＋Ｃｅ３であることを特徴とする請求項７に記載の電子インク表示パネル。
【請求項９】
前記第１の蓄積容量が占める面積がＡ１であり、前記第２の蓄積容量が占める面積がＡ２であり、前記第３の蓄積容量が占める面積がＡ３であり、Ａ１≠Ａ２≠Ａ３であることを特徴とする請求項８に記載の電子インク表示パネル。
【請求項１０】
前記第１のインク材料パターンの厚さがｄ１であり、前記第２のインク材料パターンの厚さがｄ２であり、前記第３のインク材料パターンの厚さがｄ３であり、ｄ１≠ｄ２≠ｄ３であることを特徴とする請求項９に記載の電子インク表示パネル。
【請求項１１】
前記第１のインク材料パターン、前記第２のインク材料パターン及び前記第３のインク材料パターンは、それぞれ異なる材料からなることを特徴とする請求項９に記載の電子インク表示パネル。
【請求項１２】
前記共通電極と各前記第１の画素電極との重畳面積がＢ１であり、前記共通電極と各前記第２の画素電極との重畳面積がＢ２であり、前記共通電極と各前記第３の画素電極との重畳面積がＢ３であり、Ｂ１≠Ｂ２≠Ｂ３であることを特徴とする請求項９に記載の電子インク表示パネル。
【請求項１３】
前記第１の蓄積容量の容量値はＣ１であり、
前記第２の蓄積容量の容量値はＣ２であり、
前記第３の蓄積容量の容量値はＣ３であり、
Ｃ１≠Ｃ２、Ｃ２＝Ｃ３であることを特徴とする請求項６に記載の電子インク表示パネル。
【請求項１４】
前記共通電極、前記第１のインク材料パターンのうちの１つ及び対応した前記第１の画素電極から構成されるキャパシタの容量値がＣｅ１であり、
前記共通電極、前記第２のインク材料パターンのうちの１つ及び対応した前記第２の画素電極から構成されるキャパシタの容量値がＣｅ２であり、
前記共通電極、前記第３のインク材料パターンのうちの１つ及び対応した前記第３の画素電極から構成されるキャパシタの容量値がＣｅ３であり、
Ｃｅ１≠Ｃｅ２、Ｃｅ２＝Ｃｅ３であることを特徴とする請求項１３に記載の電子インク表示パネル。
【請求項１５】
前記第１の蓄積容量が占める面積がＡ１であり、前記第２の蓄積容量が占める面積がＡ２であり、前記第３の蓄積容量が占める面積がＡ３であり、Ａ１≠Ａ２、Ａ２＝Ａ３であることを特徴とする請求項１４に記載の電子インク表示パネル。
【請求項１６】
前記第１のインク材料パターンの厚さがｄ１であり、前記第２のインク材料パターンの厚さがｄ２であり、前記第３のインク材料パターンの厚さがｄ３であり、ｄ１≠ｄ２、ｄ２＝ｄ３であることを特徴とする請求項１５に記載の電子インク表示パネル。
【請求項１７】
前記第１のインク材料パターンと前記第２のインク材料パターンとは異なる材料からなり、
前記第２のインク材料パターンと前記第３のインク材料パターンとは同じ材料からなることを特徴とする請求項１５に記載の電子インク表示パネル。
【請求項１８】
前記共通電極と各前記第１の画素電極との重畳面積がＢ１であり、前記共通電極と各前記第２の画素電極との重畳面積がＢ２であり、前記共通電極と各前記第３の画素電極との重畳面積がＢ３であり、Ｂ１≠Ｂ２、Ｂ２＝Ｂ３であることを特徴とする請求項１５に記載の電子インク表示パネル。
【発明の詳細な説明】
【技術分野】
【０００１】
本発明は、表示パネルに関し、特に電子インク表示パネル（ｅｌｅｃｔｒｏｎｉｃ−ｉｎｋ  ｄｉｓｐｌａｙ  ｐａｎｅｌ）に関する。
【背景技術】
【０００２】
一般に、従来の電子インク表示パネルには、前面板（Ｆｒｏｎｔ  Ｐｌａｎｅ  Ｌａｍｉｎａｔｅ：ＦＰＬ）、電子インク層及び薄膜トランジスタアレイ基板（ｔｈｉｎ  ｆｉｌｍ  ｔｒａｎｓｉｓｔｏｒ  ａｒｒａｙ  ｓｕｂｓｔｒａｔｅ）が含まれる。前面板は、透明電極層を有し、電子インク層は、荷電粒子により駆動され、双安定性（ｂｉ−ｓｔａｂｌｅ）の表示材料（すなわち電子インク）を含む。
【０００３】
従来の電子インク層を例にすると、荷電粒子は、異なる色で正の電荷及び負の電荷であり（例えば、黒色及び白色）、透明流体とともにマイクロカプセルの中に含まれる。薄膜トランジスタアレイ基板の各々の画素電極と透明電極層との間の電界が変化すると、異なる色の正の電荷及び負の電荷は、電界方向に応じて上方又は下方に移動し、マイクロカプセルの各々が黒色又は白色を表示する。またマイクロカプセルには、異なる色で単一の電荷及び不透明流体（例えば、黒色及び白色）が含まれてもよい。薄膜トランジスタアレイ基板の各画素電極と透明電極層との間の電界が変化すると、荷電粒子の中の単一電荷は、電界方向に応じて上方又は下方に移動し、マイクロカプセルの一面に集中され、マイクロカプセルの各々は黒色又は白色を表示することができる。
【０００４】
さらに従来の電子インク層を例にすると、荷電粒子は、表面が２種類の異なる色（例えば、黒色及び白色）である二色の荷電粒子である。二色の荷電粒子の表面は、表面の色に応じて異なる電荷を有する。薄膜トランジスタアレイ基板は、それぞれの画素電極と透明電極層との間の電界が変化すると、二色の荷電粒子が電界の方向に応じて回転移動し、荷電粒子の各々が黒色又は白色を表示する。
【０００５】
図１Ａ及び図１Ｂを参照する。図１Ａは、従来の電子インク表示パネルの構造を示す断面図である。図１Ｂは、図１Ａの電子インク表示パネルの薄膜トランジスタアレイ基板を示す平面図である。図１Ａは、図１Ｂの線Ａ−Ａ’に沿った断面図である。図１Ａ及び図１Ｂに示すように、電子インク表示パネル１０は、薄膜トランジスタアレイ基板２０、前面板３０及び電子インク層４０を含む。前面板３０は、薄膜トランジスタアレイ基板２０の上方に配置され、電子インク層４０は、前面板３０と薄膜トランジスタアレイ基板２０との間に配置されている。
【０００６】
薄膜トランジスタアレイ基板２０は、基板２１、複数の走査線２２、複数のデータ線２３及び複数のサブ画素ユニット２４を含む。基板２１上には、走査線２２及びデータ線２３が配置され、複数の画素領域２１ａが画成されている。サブ画素ユニット２４の各々は、蓄積容量２４ａを有し、基板２１上の画素領域２１ａの中に配置されている。また、サブ画素ユニット２４の各々は、薄膜トランジスタ２４ｂ及び画素電極２４ｃをさらに有する。薄膜トランジスタ２４ｂは、走査線２２のうちの１つと、データ線２３のうちの１つと電気的に接続されている。画素電極２４ｃは、薄膜トランジスタ２４ｂと電気的に接続されている。前面板３０には、保護膜３２及び透明電極層３４が含まれている。透明電極層３４は、保護膜３２上に配置されている。
【０００７】
続いて、走査線２２、データ線２３及び透明電極層３４に適当な電圧信号を印加することにより、画素電極２４ｃの充放電を行う。そして、電子インク層４０の中のマイクロカプセル４１の色を有する電荷を駆動させ、電子インク表示パネル１０に画面を表示させる。しかし、上述の電子インク表示パネル１０では、白黒画面しか表示できなかった。そのため、カラー化が求められている現在、白黒画面しか表示できない電子インク表示パネル１０の応用は限定されたものであった。
【０００８】
図１Ｃを参照する。図１Ｃは、従来の電子インク表示パネル４２の構造を示す断面図である。図１Ｃに示すように、電子インク表示パネル４２は、電子インク表示パネル１０に類似し、図１Ａのマイクロカプセル４１の代わりに、二色の荷電粒子４４が電子インク層４０に用いられている点のみが異なる。
【０００９】
図１Ｄを参照する。図１Ｄは、従来の電子インク表示パネル４５の構造を示す断面図である。図１Ｄに示すように、電子インク表示パネル４５は、電子インク表示パネル１０に類似し、電子インク層４０のマイクロカプセル４１が不透明流体４６（例えば、白色）及び単一の荷電粒子４７（例えば、黒色）を含む点が異なる。荷電粒子４７は、電界方向に応じて上下に移動する。電子インク表示パネル４５は、荷電粒子４７が上に移動すると黒色を表示し、下に移動すると白色を表示する。
【発明の開示】
【発明が解決しようとする課題】
【００１０】
本発明の目的は、それぞれの総容量値（蓄積容量と表示容量との容量総和）が等しい複数のサブ画素ユニットを備え、カラー画面を表示することができる電子インク表示パネルを提供することにある。
【課題を解決するための手段】
【００１１】
（１）  アクティブデバイスアレイ基板、前面板及び電子インク層を備える電子インク表示パネルであって、前記アクティブデバイスアレイ基板は、蓄積容量をそれぞれ有する複数のサブ画素ユニットをそれぞれ含む複数の画素ユニットを有し、同一の前記画素ユニットの中にある少なくとも１つのサブ画素ユニットとその他のサブ画素ユニットとは蓄積容量の容量値が異なり、前記前面板は、前記アクティブデバイスアレイ基板の上方に配置され、前記電子インク層は、前記アクティブデバイスアレイ基板と前記前面板との間に配置されていることを特徴とする電子インク表示パネルを提供する。
【００１２】
（２）  前記アクティブデバイスアレイ基板は、基板と、前記基板上に配置された複数の走査線と、前記基板上に配置された複数のデータ線と、をさらに有し、前記データ線及び前記走査線により前記基板上が複数の画素領域に画成されていることを特徴とする（１）に記載の電子インク表示パネルを提供する。
【００１３】
（３）  前記画素ユニットの各々は、第１の蓄積容量を有する第１のサブ画素ユニットと、第２の蓄積容量を有する第２のサブ画素ユニットと、第３の蓄積容量を有する第３のサブ画素ユニットと、を有し、前記画素ユニットの前記第１のサブ画素ユニット、前記第２のサブ画素ユニット及び前記第３のサブ画素ユニットは、それぞれ同一の前記走査線と電気的に接続され、互いに隣接した３つの前記画素領域の中にそれぞれ配置されていることを特徴とする（２）に記載の電子インク表示パネルを提供する。
【００１４】
（４）  前記前面板は、前記電子インク層上に配置された共通電極と、前記共通電極上に配置された保護膜と、を有することを特徴とする（３）に記載の電子インク表示パネルを提供する。
【００１５】
（５）  前記第１のサブ画素ユニットは、第１のアクティブデバイスと、該第１のアクティブデバイスに電気的に接続された第１の画素電極と、を有し、前記第２のサブ画素ユニットは、第２のアクティブデバイスと、該第２のアクティブデバイスに電気的に接続された第２の画素電極と、を有し、前記第３のサブ画素ユニットは、第３のアクティブデバイスと、該第３のアクティブデバイスに電気的に接続された第３の画素電極と、を有することを特徴とする（４）に記載の電子インク表示パネルを提供する。
【００１６】
（６）  前記電子インク層は、前記第１の画素電極上に配置された複数の第１のインク材料パターンと、前記第２の画素電極上に配置された複数の第２のインク材料パターンと、前記第３の画素電極上に配置された複数の第３のインク材料パターンと、を有することを特徴とする（５）に記載の電子インク表示パネルを提供する。
【００１７】
（７）  前記第１の蓄積容量の容量値はＣ１であり、前記第２の蓄積容量の容量値はＣ２であり、前記第３の蓄積容量の容量値はＣ３であり、Ｃ１≠Ｃ２≠Ｃ３であることを特徴とする（６）に記載の電子インク表示パネルを提供する。
【００１８】
（８）  前記共通電極、前記第１のインク材料パターンのうちの１つ及び対応した前記第１の画素電極から構成されるキャパシタの容量値がＣｅ１であり、前記共通電極、前記第２のインク材料パターンのうちの１つ及び対応した前記第２の画素電極から構成されるキャパシタの容量値がＣｅ２であり、前記共通電極、前記第３のインク材料パターンのうちの１つ及び対応した前記第３の画素電極から構成されるキャパシタの容量値がＣｅ３であり、Ｃｅ１≠Ｃｅ２≠Ｃｅ３、Ｃ１＋Ｃｅ１＝Ｃ２＋Ｃｅ２＝Ｃ３＋Ｃｅ３であることを特徴とする（７）に記載の電子インク表示パネルを提供する。
【００１９】
（９）  前記第１の蓄積容量が占める面積がＡ１であり、前記第２の蓄積容量が占める面積がＡ２であり、前記第３の蓄積容量が占める面積がＡ３であり、Ａ１≠Ａ２≠Ａ３であることを特徴とする（８）に記載の電子インク表示パネルを提供する。
【００２０】
（１０）  前記第１のインク材料パターンの厚さがｄ１であり、前記第２のインク材料パターンの厚さがｄ２であり、前記第３のインク材料パターンの厚さがｄ３であり、ｄ１≠ｄ２≠ｄ３であることを特徴とする（９）に記載の電子インク表示パネルを提供する。
【００２１】
（１１）  前記第１のインク材料パターン、前記第２のインク材料パターン及び前記第３のインク材料パターンは、それぞれ異なる材料からなることを特徴とする（９）に記載の電子インク表示パネルを提供する。
【００２２】
（１２）  前記共通電極と各前記第１の画素電極との重畳面積がＢ１であり、前記共通電極と各前記第２の画素電極との重畳面積がＢ２であり、前記共通電極と各前記第３の画素電極との重畳面積がＢ３であり、Ｂ１≠Ｂ２≠Ｂ３であることを特徴とする（９）に記載の電子インク表示パネルを提供する。
【００２３】
（１３）  前記第１の蓄積容量の容量値はＣ１であり、前記第２の蓄積容量の容量値はＣ２であり、前記第３の蓄積容量の容量値はＣ３であり、Ｃ１≠Ｃ２、Ｃ２＝Ｃ３であることを特徴とする（６）に記載の電子インク表示パネルを提供する。
【００２４】
（１４）  前記共通電極、前記第１のインク材料パターンのうちの１つ及び対応した前記第１の画素電極から構成されるキャパシタの容量値がＣｅ１であり、前記共通電極、前記第２のインク材料パターンのうちの１つ及び対応した前記第２の画素電極から構成されるキャパシタの容量値がＣｅ２であり、前記共通電極、前記第３のインク材料パターンのうちの１つ及び対応した前記第３の画素電極から構成されるキャパシタの容量値がＣｅ３であり、Ｃｅ１≠Ｃｅ２、Ｃｅ２＝Ｃｅ３であることを特徴とする（１３）に記載の電子インク表示パネルを提供する。
【００２５】
（１５）  前記第１の蓄積容量が占める面積がＡ１であり、前記第２の蓄積容量が占める面積がＡ２であり、前記第３の蓄積容量が占める面積がＡ３であり、Ａ１≠Ａ２、Ａ２＝Ａ３であることを特徴とする（１４）に記載の電子インク表示パネルを提供する。
【００２６】
（１６）  前記第１のインク材料パターンの厚さがｄ１であり、前記第２のインク材料パターンの厚さがｄ２であり、前記第３のインク材料パターンの厚さがｄ３であり、ｄ１≠ｄ２、ｄ２＝ｄ３であることを特徴とする（１５）に記載の電子インク表示パネルを提供する。
【００２７】
（１７）  前記第１のインク材料パターンと前記第２のインク材料パターンとは異なる材料からなり、前記第２のインク材料パターンと前記第３のインク材料パターンとは同じ材料からなることを特徴とする（１５）に記載の電子インク表示パネルを提供する。
【００２８】
（１８）  前記共通電極と各前記第１の画素電極との重畳面積がＢ１であり、前記共通電極と各前記第２の画素電極との重畳面積がＢ２であり、前記共通電極と各前記第３の画素電極との重畳面積がＢ３であり、Ｂ１≠Ｂ２、Ｂ２＝Ｂ３であることを特徴とする（１５）に記載の電子インク表示パネルを提供する。
【発明の効果】
【００２９】
本発明の電子インク表示パネルは、蓄積容量の容量値と、共通電極、インク材料パターンのうちの１つ及び対応した画素電極から構成された表示容量の容量値とが互いに補償しあうことにより、蓄積容量と対応した表示容量との総容量値を等しくさせることができる。
【発明を実施するための最良の形態】
【００３０】
従来、白黒画面しか表示することができなかった欠点を解決するために、カラー画面を表示する電子インク表示パネルが提供されていた。しかし、カラー画面を表示する電子インク表示パネルには、別の問題が発生することがあった。
【００３１】
図２Ａ及び図２Ｂを参照する。図２Ａは、電子インク表示パネルの構造を示す断面図である。図２Ｂは、図２Ａの電子インク表示パネルの薄膜トランジスタアレイ基板を示す平面図である。図２Ａは、図２Ｂの線Ｂ−Ｂ’に沿った断面図である。図２Ａ及び図２Ｂに示すように、電子インク表示パネル５０は、薄膜トランジスタアレイ基板２０、前面板３０及び電子インク層４００を含む。前面板３０は、薄膜トランジスタアレイ基板２０の上方に配置され、電子インク層４００は、前面板３０と薄膜トランジスタアレイ基板２０との間に配置されている。
【００３２】
薄膜トランジスタアレイ基板２０は、基板２１、複数の走査線２２、複数のデータ線２３及び複数のサブ画素ユニット２４を含む。基板２１上には、走査線２２及びデータ線２３が配置され、複数の画素領域２１ａが画成されている。サブ画素ユニット２４の各々は、蓄積容量２４ａを有し、基板２１上の画素領域２１ａの中に配置されている。また、サブ画素ユニット２４の各々は、薄膜トランジスタ２４ｂ及び画素電極２４ｃをさらに有する。薄膜トランジスタ２４ｂは、走査線２２のうちの１つと、データ線２３のうちの１つと電気的に接続されている。画素電極２４ｃは、薄膜トランジスタ２４ｂと電気的に接続されている。前面板３０は、保護膜３２及び透明電極層３４を含む。透明電極層３４は、保護膜３２上に配置されている。
【００３３】
電子インク層４００は、複数の第１のインク材料パターン４１０、第２のインク材料パターン４２０及び第３のインク材料パターン４３０を有する。第１のインク材料パターン４１０、第２のインク材料パターン４２０及び第３のインク材料パターン４３０の各々は、基板２１の画素領域２１ａの上方に配置されている。これにより、同一の走査線２２と電気的に接続され、互いに隣接した３つのサブ画素ユニット２４の上方には、それぞれ第１のインク材料パターン４１０、第２のインク材料パターン４２０及び第３のインク材料パターン４３０が配置されている。
【００３４】
上述の電子インク表示パネル５０は、第１のインク材料パターン４１０、第２のインク材料パターン４２０及び第３のインク材料パターン４３０の中のマイクロカプセルに異なる色の荷電染料が含まれている。例えば、第１のインク材料パターン４１０の中のマイクロカプセル４１２には、赤色及び赤色以外の荷電染料が含まれ、第２のインク材料パターン４２０の中のマイクロカプセル４２２には、緑色及び緑色以外の荷電染料が含まれ、第３のインク材料パターン４３０の中のマイクロカプセル４３２には、青色及び青色以外の荷電染料が含まれている。
【００３５】
また走査線２２、データ線２３及び透明電極層３４に適当な電圧信号が印加されると、第１のインク材料パターン４１０、第２のインク材料パターン４２０及び第３のインク材料パターン４３０の中の荷電染料が駆動され、電子インク表示パネル５０がカラー画面を表示する。
【００３６】
図２Ａ及び図２Ｃを参照する。図２Ｃは、図２Ａの電子インク表示パネルの等価回路の一部を示す回路図である。図２Ａ及び図２Ｃに示すように、第１の表示容量６２ａは、透明電極層３４、第１のインク材料パターン４１０及び画素電極２４ｃから構成され、その容量値はＣｐ１である。第２の表示容量６４ａは、透明電極層３４、第２のインク材料パターン４２０及び画素電極２４ｃから構成され、その容量値はＣｐ２である。第３の表示容量６６ａは、透明電極層３４、第３のインク材料パターン４３０及び画素電極２４ｃから構成され、その容量値はＣｐ３である。ここで、異なる色の荷電染料を含む第１のインク材料パターン４１０、第２のインク材料パターン４２０及び第３のインク材料パターン４３０は、一般に異なる誘電率を有するため、それぞれの容量値であるＣｐ１、Ｃｐ２及びＣｐ３は互いに異なる。
【００３７】
サブ画素ユニット２４の各々は、蓄積容量２４ａの容量値Ｃｔがすべて等しい。そのため、蓄積容量２４ａと第１の表示容量６２ａとの総容量値（Ｃｔ＋Ｃｐ１）と、蓄積容量２４ａと第２の表示容量６４ａとの総容量値（Ｃｔ＋Ｃｐ２）と、蓄積容量２４ａと第３の表示容量６６ａとの総容量値（Ｃｔ＋Ｃｐ３）とはそれぞれ異なる（すなわち、Ｃｔ＋Ｃｐ１≠Ｃｔ＋Ｃｐ２≠Ｃｔ＋Ｃｐ３）。
【００３８】
図２Ｄを参照する。図２Ｄは、もう一つの電子インク表示パネル６０の構造を示す断面図である。図２Ｄに示すように、電子インク表示パネル６０は、電子インク表示パネル５０と類似し、電子インク表示パネル５０のマイクロカプセル４１２、４２２、４３２の代わりに、二色の荷電粒子４１３、４２３、４３３が電子インク層４００に用いられている点が異なる。
【００３９】
図２Ｅを参照する。図２Ｅは、さらにもう一つの電子インク表示パネル６１の構造を示す断面図である。図２Ｅに示すように、電子インク表示パネル６１は、電子インク表示パネル５０と類似し、マイクロカプセル４１２、４２２、４３２が不透明流体４６及び荷電粒子４７を含む点が異なる。
【００４０】
上述したことから分かるように、電子インク表示パネル５０、６０は、異なる色の荷電染料の電子インク層４００を有し、従来の薄膜トランジスタアレイ基板２０及び前面板３０を用いている。そのため、電子インク表示パネル５０は、カラー画面を表示することができたが、各サブ画素ユニットの総容量値が異なってしまうという問題が発生した。
【００４１】
上述の問題を解決するために、本発明は、電子インク表示パネルを提供する。以下、本発明の実施形態を図面に基づいて説明する。
【００４２】
（第１実施形態）
図３Ａ及び図３Ｂを参照する。図３Ａは、本発明の第１実施形態による電子インク表示パネルの構造を示す断面図である。図３Ｂは、図３Ａの電子インク表示パネルのアクティブデバイスアレイ基板を示す平面図である。図３Ａは、図３Ｂの線Ｃ−Ｃ’に沿った断面図である。図３Ａ及び図３Ｂに示すように、電子インク表示パネル１００は、アクティブデバイスアレイ基板２００、前面板３００及び電子インク層４００を含む。アクティブデバイスアレイ基板２００は、複数の画素ユニット２１０を有する。画素ユニット２１０の各々は、蓄積容量Ｃｓをそれぞれ有する複数のサブ画素ユニットＰｘを含む。同一の画素ユニット２１０の中で、サブ画素ユニットＰｘのうちの少なくとも１つの蓄積容量Ｃｓの容量値は、その他のサブ画素ユニットＰｘの蓄積容量Ｃｓの容量値と異なる。前面板３００は、アクティブデバイスアレイ基板２００の上方に配置され、電子インク層４００は、アクティブデバイスアレイ基板２００と前面板３００との間に配置される。以下、それぞれの構成要素の細部構造を詳細に説明する。
【００４３】
本実施形態のアクティブデバイスアレイ基板２００は、基板２２０、複数の走査線２３０及び複数のデータ線２４０を含む。基板２２０上には、走査線２３０及びデータ線２４０が配置され、複数の画素領域２２０ａが画成されている。
【００４４】
アクティブデバイスアレイ基板２００の中の画素ユニット２１０の各々は、第１のサブ画素ユニット２１２、第２のサブ画素ユニット２１４及び第３のサブ画素ユニット２１６を含む。画素ユニット２１０の第１のサブ画素ユニット２１２、第２のサブ画素ユニット２１４及び第３のサブ画素ユニット２１６の各々は、同一の走査線２３０と電気的に接続され、互いに隣接した３つの画素領域２２０ａの中に配置されている。
【００４５】
さらに詳細には、第１のサブ画素ユニット２１２は、第１の蓄積容量２１２ａ、第１のアクティブデバイス２１２ｂ及び第１の画素電極２１２ｃを有する。第２のサブ画素ユニット２１４は、第２の蓄積容量２１４ａ、第２のアクティブデバイス２１４ｂ及び第２の画素電極２１４ｃを有する。第３のサブ画素ユニット２１６は、第３の蓄積容量２１６ａ、第３のアクティブデバイス２１６ｂ及び第３の画素電極２１６ｃを有する。第１のアクティブデバイス２１２ｂ、第２のアクティブデバイス２１４ｂ及び第３のアクティブデバイス２１６ｂの各々は、走査線２３０のうちの１つ及びデータ線２４０のうちの１つと電気的に接続されている。第１の画素電極２１２ｃ、第２の画素電極２１４ｃ及び第３の画素電極２１６ｃは、それぞれ対応した第１のアクティブデバイス２１２ｂ、第２のアクティブデバイス２１４ｂ及び第３のアクティブデバイス２１６ｂと電気的に接続されている。
【００４６】
前面板３００は、共通電極３１０及び保護膜３２０を含む。共通電極３１０は、電子インク層４００上に配置されている。保護膜３２０は、共通電極３１０上に配置されている。
【００４７】
電子インク層４００は、複数の第１のインク材料パターン４１０、複数の第２のインク材料パターン４２０及び複数の第３のインク材料パターン４３０を含む。第１のインク材料パターン４１０は、第１の画素電極２１２ｃ上に配置され、第２のインク材料パターン４２０は、第２の画素電極２１４ｃ上に配置され、第３のインク材料パターン４３０は、第３の画素電極２１６ｃ上に配置されている。
【００４８】
また基板２２０は、例えば、ガラス基板、石英基板又はその他の適当な材料からなる基板である。走査線２３０は、アルミニウム、アルミニウム合金又はその他の適当な導電材料からなる。データ線２４０は、クロム、アルミニウム、合金又はその他の適当な導電材料からなる。第１のアクティブデバイス２１２ｂ、第２のアクティブデバイス２１４ｂ及び第３のアクティブデバイス２１６ｂは、例えば、薄膜トランジスタ、ダイオード又はその他の３端子を有するスイッチデバイスである。ここで、第１のアクティブデバイス２１２ｂ、第２のアクティブデバイス２１４ｂ及び第３のアクティブデバイス２１６ｂは、本実施形態ではすべて薄膜トランジスタで示されている。第１の画素電極２１２ｃ、第２の画素電極２１４ｃ及び第３の画素電極２１６ｃは、インジウム錫酸化物（Ｉｎｄｉｕｍ  Ｔｉｎ  Ｏｘｉｄｅ：ＩＴＯ）、インジウム亜鉛酸化物（Ｉｎｄｉｕｍ  Ｚｉｎｃ  Ｏｘｉｄｅ：ＩＺＯ）、金属、これらの材料の組合せのうちの１つ、又はその他の適当な材料からなる。共通電極３１０は、インジウム錫酸化物、インジウム亜鉛酸化物又はその他の適当な材料からなる。保護膜３２０は、例えば、プラスチック、アクリル又はその他の適当な材料からなる。
【００４９】
第１のインク材料パターン４１０は、例えば、複数の第１の粒子４１２ａ、複数の第２の粒子４１２ｂ及び透明流体４１２ｃを含む複数のマイクロカプセル４１２を含む。例えば、第１の粒子４１２ａは、赤色の荷電染料であり、第２の粒子４１２ｂは、赤色以外の荷電染料であり、第１の粒子４１２ａと第２の粒子４１２ｂとの電性は反対である。第２のインク材料パターン４２０は、例えば、複数の第３の粒子４２２ａ、複数の第４の粒子４２２ｂ及び透明流体４２２ｃを含む複数のマイクロカプセル４２２を含む。例えば、第３の粒子４２２ａは、緑色の荷電染料であり、第４の粒子４２２ｂは、緑色以外の荷電染料であり、第３の粒子４２２ａと第４の粒子４２２ｂとの電性は反対である。第３のインク材料パターン４３０は、例えば、複数の第５の粒子４３２ａ、複数の第６の粒子４３２ｂ及び透明流体４３２ｃを含む複数のマイクロカプセル４３２を含む。例えば、第５の粒子４３２ａは、青色の荷電染料であり、第６の粒子４３２ｂは、青色以外の荷電染料であり、第５の粒子４３２ａと第６の粒子４３２ｂとの電性は反対である。
【００５０】
図３Ａ及び図３Ｃを参照する。図３Ｃは、図３Ａの電子インク表示パネルの等価回路の一部を示す回路図である。図３Ａ及び図３Ｃに示すように、電子インク表示パネル１００の中の第１の表示容量４１０ａは、共通電極３１０と、第１のインク材料パターン４１０のうちの１つと、対応した第１の画素電極２１２ｃとから構成され、その容量値はＣｅ１である。第２の表示容量４２０ａは、共通電極３１０と、第２のインク材料パターン４２０のうちの１つと、対応した第２の画素電極２１４ｃとから構成され、その容量値はＣｅ２である。第３の表示容量４３０ａは、共通電極３１０と、第３のインク材料パターン４３０のうちの１つと、対応した第３の画素電極２１６ｃとから構成され、その容量値はＣｅ３である。
【００５１】
本実施形態の電子インク表示パネル１００は、カラー画面を表示するために、異なる色を有する第１のインク材料パターン４１０、第２のインク材料パターン４２０及び第３のインク材料パターン４３０により電子インク層４００を構成する。第１のインク材料パターン４１０、第２のインク材料パターン４２０及び第３のインク材料パターン４３０は、異なる材料からなるため誘電率がそれぞれ異なる。このため、第１の表示容量４１０ａの容量値Ｃｅ１と、第２の表示容量４２０ａの容量値Ｃｅ２と、第３の表示容量４３０ａの容量値Ｃｅ３とはそれぞれ異なる（すなわち、Ｃｅ１≠Ｃｅ２≠Ｃｅ３）。また、第１の蓄積容量２１２ａの容量値はＣ１であり、第２の蓄積容量２１４ａの容量値はＣ２であり、第３の蓄積容量２１６ａの容量値はＣ３である。しかし、Ｃ１＋Ｃｅ１＝Ｃ２＋Ｃｅ２＝Ｃ３＋Ｃｅ３とするためには、第１の蓄積容量２１２ａが占める面積をＡ１とし、第２の蓄積容量２１４ａが占める面積をＡ２とし、第３の蓄積容量２１６ａが占める面積をＡ３とし、Ａ１≠Ａ２≠Ａ３としなければならない。Ａ１、Ａ２及びＡ３の容量値はそれぞれ異なるため、Ｃ１≠Ｃ２≠Ｃ３となり、総容量値が等しい。同様に、第１のインク材料パターン４１０、第２のインク材料パターン４２０及び第３のインク材料パターン４３０の中のマイクロカプセルが、異なる色の荷電染料及び不透明液体のマイクロカプセルだけを含んでいても、上述の構造により電子インク表示パネル１００の総容量値を等しくすることができる。
【００５２】
本実施形態では、第１の蓄積容量２１２ａ、第２の蓄積容量２１４ａ及び第３の蓄積容量２１６ａがそれぞれ異なる容量値Ｃ１、Ｃ２、Ｃ３を有しているが、第１の蓄積容量２１２ａ、第２の蓄積容量２１４ａ及び第３の蓄積容量２１６ａの各々は、容量値が必ずしも異なっていなくともよい。例えば他の実施形態では、第１の蓄積容量２１２ａが第２の蓄積容量２１４ａと異なる容量値を有し、第３の蓄積容量２１６ａが第２の蓄積容量２１４ａと等しい容量値を有してもよい（すなわち、Ｃ１≠Ｃ２、Ｃ２＝Ｃ３）。
【００５３】
図３Ｄを参照する。図３Ｄは、本発明の第１実施形態によるもう一つの電子インク表示パネル１１０の構造を示す断面図である。図３Ｄに示すように、電子インク表示パネル１１０は、電子インク表示パネル１００に類似し、電子インク表示パネル１００のマイクロカプセル４１２、４２２、４３２の代わりに、二色の荷電粒子４１３、４２３、４３３が電子インク表示パネル１１０の電子インク層４００に用いられている点が異なる。第１のインク材料パターン４１０は、一方の表面側に満遍なく分布された複数の第１の粒子４１２ａと、他方の表面側に満遍なく分布された複数の第２の粒子４１２ｂとを有する複数の二色の荷電粒子４１３を含む。例えば、第１の粒子４１２ａが赤色の荷電染料であり、第２の粒子４１２ｂが赤色以外の荷電染料であり、第１の粒子４１２ａと第２の粒子４１２ｂとの電性は反対である。例えば、第２のインク材料パターン４２０が一方の表面側に満遍なく分布された複数の第３の粒子４２２ａと、他方の表面側に満遍なく分布された複数の第４の粒子４２２ｂとを有する複数の二色の荷電粒子４２３を含む。例えば、第３の粒子４２２ａが緑色の荷電染料であり、第４の粒子４２２ｂが緑色以外の荷電染料であり、第３の粒子４２２ａと第４の粒子４２２ｂとは電性が反対である。例えば、第３のインク材料パターン４３０が一方の表面側に満遍なく分布された複数の第５の粒子４３２ａと、他方の表面側に満遍なく分布された複数の第６の粒子４３２ｂとを有する複数の二色の荷電粒子４３３とを含む。例えば、第５の粒子４３２ａが青色の荷電染料であり、第６の粒子４３２ｂが青色以外の荷電染料であり、第５の粒子４３２ａと第６の粒子４３２ｂとは電性が反対である。
【００５４】
図３Ｅを参照する。図３Ｅは、本発明の第１実施形態によるさらにもう一つの電子インク表示パネル１２０の構造を示す断面図である。図３Ｅに示すように、電子インク表示パネル１２０は、電子インク表示パネル１００に類似し、マイクロカプセル４１２、４２２、４３２が不透明流体及び荷電粒子を含む点が異なる。第１のインク材料パターン４１０は、複数の第１の粒子４７ａ（例えば、赤色の荷電染料）及びその他の色の不透明流体４６ａを含む複数のマイクロカプセル４１２を含む。第２のインク材料パターン４２０は、複数の第２の粒子４７ｂ（例えば、緑色の荷電染料）及びその他の色の不透明流体４６ｂを含む複数のマイクロカプセル４２２を含む。第３のインク材料パターン４３０は、複数の第３の粒子４７ｃ（例えば、青色の荷電染料）及びその他の色の不透明流体４６ｃを含む複数のマイクロカプセル４３２を含む。
【００５５】
（第２実施形態）
図４Ａ及び図４Ｂを参照する。図４Ａは、本発明の第２実施形態による電子インク表示パネルの構造を示す断面図である。図４Ｂは、図４Ａの電子インク表示パネルのアクティブデバイスアレイ基板を示す平面図である。図４Ａは、図４Ｂの線Ｄ−Ｄ’に沿った断面図である。図４Ａ及び図４Ｂに示すように、電子インク表示パネル５００は、電子インク表示パネル１００に類似し、電子インク層６００の中の第１のインク材料パターン６１０の厚さｄ１と、第２のインク材料パターン６２０の厚さｄ２と、第３のインク材料パターン６３０の厚さｄ３とは、ｄ１≠ｄ２≠ｄ３である点が異なる。ここで、第１のインク材料パターン６１０、第２のインク材料パターン６２０及び第３のインク材料パターン６３０は、異なる色の荷電染料を含む。
【００５６】
図４Ａ及び図４Ｃを参照する。図４Ｃは、図４Ａの電子インク表示パネルの等価回路の一部を示す回路図である。図４Ａ及び図４Ｃに示すように、第２実施形態は、第１実施形態に類似し、第１の表示容量６１０ａは、共通電極７１０、第１のインク材料パターン６１０のうちの１つ及び対応した第１の画素電極２１２ｃから構成され、その容量値はＣｅ１である。第２の表示容量６２０ａは、共通電極７１０、第２のインク材料パターン６２０のうちの１つ及び対応した第２の画素電極２１４ｃから構成され、その容量値はＣｅ２である。第３の表示容量６３０ａは、共通電極７１０、第３のインク材料パターン６３０のうちの１つ及び対応した第３の画素電極２１６ｃから構成され、その容量値はＣｅ３である。
【００５７】
本実施形態において、第１の蓄積容量２１２ａ、第２の蓄積容量２１４ａ及び第３の蓄積容量２１６ａが占める面積Ａ１、Ａ２、Ａ３を調整すると、総容量値を等しくすることができる。
【００５８】
また、第１のインク材料パターン６１０、第２のインク材料パターン６２０及び第３のインク材料パターン６３０のそれぞれの厚さｄ１、ｄ２、ｄ３を変えることにより、第１の表示容量６１０ａの容量値Ｃｅ１と、第２の表示容量６２０ａの容量値Ｃｅ２と、第３の表示容量６３０ａの容量値Ｃｅ３とを変え、総容量値を等しくすることもできる。同様に、第１のインク材料パターン６１０、第２のインク材料パターン６２０及び第３のインク材料パターン６３０の中のマイクロカプセルが、異なる色の荷電染料及び不透明液体のマイクロカプセルのみを含んでいても、上述の構造により電子インク表示パネル５００の総容量値を等しくさせることができる。
【００５９】
電子インク表示パネル５００の長所は、第１実施形態の電子インク表示パネル１００と同じであるため、ここでは繰り返して述べない。
【００６０】
図４Ｄを参照する。図４Ｄは、本発明の第２実施形態によるもう一つの電子インク表示パネル５１０の構造を示す断面図である。図４Ｄに示すように、電子インク表示パネル５１０は、電子インク表示パネル５００に類似し、電子インク表示パネル５００のマイクロカプセル４１２、４２２、４３２の代わりに、二色の荷電粒子４１３、４２３、４３３を電子インク表示パネル５１０の電子インク層６００に用いている点が異なる。
【００６１】
図４Ｅを参照する。図４Ｅは、本発明の第２実施形態によるさらにもう一つの電子インク表示パネル７２１の構造を示す断面図である。図４Ｅに示すように、電子インク表示パネル７２１は、電子インク表示パネル５００に類似し、電子インク表示パネル７２１のマイクロカプセル４１２は、不透明流体４６ａ及び第１の粒子４７ａを含み、マイクロカプセル４２２は、不透明流体４６ｂ及び第２の粒子４７ｂを含み、マイクロカプセル４３２は、不透明流体４６ｃ及び第３の粒子４７ｃを含む点が異なる。
【００６２】
（第３実施形態）
図５Ａ及び図５Ｂを参照する。図５Ａは、本発明の第３実施形態による電子インク表示パネルの構造を示す断面図である。図５Ｂは、図５Ａの電子インク表示パネルのアクティブデバイスアレイ基板を示す平面図である。図５Ｃは、図５Ａの電子インク表示パネルの等価回路の一部を示す回路図である。図５Ａは、図５Ｂの線Ｅ−Ｅ’に沿った断面図である。図５Ａから図５Ｃに示すように、電子インク表示パネル８００は、電子インク表示パネル１００に類似し、共通電極３１０とアクティブデバイスアレイ基板９００の各第１の画素電極９１２ｃとの重畳面積Ｂ１と、共通電極３１０と各第２の画素電極９１４ｃとの重畳面積Ｂ２と、共通電極３１０と各第３の画素電極９１６ｃとの重畳面積Ｂ３とが、Ｂ１≠Ｂ２≠Ｂ３である点が異なる。
【００６３】
本実施形態では、第１の蓄積容量２１２ａ、第２の蓄積容量２１４ａ及び第３の蓄積容量２１６ａが占める面積Ａ１、Ａ２、Ａ３を調整することにより、総容量値を等しくさせることができる。
【００６４】
上述の方法以外には、面積Ｂ１、Ｂ２、Ｂ３を変えて第１の表示容量４１０ａ’の容量値Ｃｅ１と、第２の表示容量４２０ａ’の容量値Ｃｅ２と、第３の表示容量４３０ａ’の容量値Ｃｅ３とを変え、Ｃ１＋Ｃｅ１＝Ｃ２＋Ｃｅ２＝Ｃ３＋Ｃｅ３とする方法がある。同様に、電子インク層４００の中のマイクロカプセルが異なる色の荷電染料及び不透明液体のマイクロカプセルのみを含んでいても、上述の構造により電子インク表示パネル８００の総容量値を等しくさせることができる。
【００６５】
電子インク表示パネル８００の長所は、第１実施形態の電子インク表示パネル１００と同じであるため、ここでは繰り返して述べない。
【００６６】
図５Ｄを参照する。図５Ｄは、本発明の第３実施形態によるもう一つの電子インク表示パネル８１０の構造を示す断面図である。図５Ｄに示すように、電子インク表示パネル８１０は、電子インク表示パネル８００に類似し、電子インク表示パネル８００のマイクロカプセル４１２、４２２、４３２の代わりに、二色の荷電粒子４１３、４２３、４３３が電子インク表示パネル８１０の電子インク層４００に用いられている点が異なる。
【００６７】
図５Ｅを参照する。図５Ｅは、本発明の第３実施形態によるさらにもう一つの電子インク表示パネル８５０の構造を示す断面図である。図５Ｅに示すように、電子インク表示パネル８５０は、電子インク表示パネル５００に類似し、電子インク表示パネル８５０のマイクロカプセル４１２が不透明流体４６ａ及び第１の粒子４７ａを含み、マイクロカプセル４２２が不透明流体４６ｂ及び第２の粒子４７ｂを含み、マイクロカプセル４３２が不透明流体４６ｃ及び第３の粒子４７ｃを含む点が異なる。
【００６８】
つまり本発明の電子インク表示パネルは、蓄積容量の容量値と、共通電極、インク材料パターンのうちの１つ及び対応した画素電極から構成された表示容量の容量値とが互いに補償しあうことにより、蓄積容量と対応した表示容量との総容量値を等しくさせることができる。また本発明には、蓄積容量が占める面積と、インク材料パターンの厚さと、共通電極と対応した画素電極との重畳面積とを調整する方法が含まれる。
【００６９】
当該分野の技術を熟知するものが理解できるように、本発明の好適な実施の形態を前述の通り開示したが、これらは決して本発明を限定するものではない。本発明の主旨と範囲を脱しない範囲内で各種の変更や修正を加えることができる。従って、本発明の特許請求の範囲は、このような変更や修正を含めて広く解釈されるべきである。
【図面の簡単な説明】
【００７０】
【図１Ａ】従来の電子インク表示パネルの構造を示す断面図である。
【図１Ｂ】図１Ａの電子インク表示パネルの薄膜トランジスタアレイ基板を示す平面図である。
【図１Ｃ】従来のもう一つの電子インク表示パネルの構造を示す断面図である。
【図１Ｄ】従来のさらにもう一つの電子インク表示パネルの構造を示す断面図である。
【図２Ａ】電子インク表示パネルの構造を示す断面図である。
【図２Ｂ】図２Ａの電子インク表示パネルの薄膜トランジスタアレイ基板を示す平面図である。
【図２Ｃ】図２Ａの電子インク表示パネルの等価回路の一部を示す回路図である。
【図２Ｄ】もう一つの電子インク表示パネルの構造を示す断面図である。
【図２Ｅ】さらにもう一つの電子インク表示パネルの構造を示す断面図である。
【図３Ａ】本発明の第１実施形態による電子インク表示パネルの構造を示す断面図である。
【図３Ｂ】図３Ａの電子インク表示パネルのアクティブデバイスアレイ基板を示す平面図である。
【図３Ｃ】図３Ａの電子インク表示パネルの等価回路の一部を示す回路図である。
【図３Ｄ】本発明の第１実施形態によるもう一つの電子インク表示パネルの構造を示す断面図である。
【図３Ｅ】本発明の第１実施形態によるさらにもう一つの電子インク表示パネルの構造を示す断面図である。
【図４Ａ】本発明の第２実施形態による電子インク表示パネルの構造を示す断面図である。
【図４Ｂ】図４Ａの電子インク表示パネルのアクティブデバイスアレイ基板を示す平面図である。
【図４Ｃ】図４Ａの電子インク表示パネルの等価回路の一部を示す回路図である。
【図４Ｄ】本発明の第２実施形態によるもう一つの電子インク表示パネルの構造を示す断面図である。
【図４Ｅ】本発明の第２実施形態によるさらにもう一つの電子インク表示パネルの構造を示す断面図である。
【図５Ａ】本発明の第３実施形態による電子インク表示パネルの構造を示す断面図である。
【図５Ｂ】図５Ａの電子インク表示パネルのアクティブデバイスアレイ基板を示す平面図である。
【図５Ｃ】図５Ａの電子インク表示パネルの等価回路の一部を示す回路図である。
【図５Ｄ】本発明の第３実施形態によるもう一つの電子インク表示パネルの構造を示す断面図である。
【図５Ｅ】本発明の第３実施形態によるさらにもう一つの電子インク表示パネルの構造を示す断面図である。
【符号の説明】
【００７１】
１０  電子インク表示パネル
２０  薄膜トランジスタアレイ基板
２１  基板
２１ａ  画素領域
２２  走査線
２３  データ線
２４  サブ画素ユニット
２４ａ  蓄積容量
２４ｂ  薄膜トランジスタ
２４ｃ  画素電極
３０  前面板
３２  保護膜
３４  透明電極層
４０  電子インク層
４１  マイクロカプセル
４２  電子インク表示パネル
４４  二色の荷電粒子
４５  電子インク表示パネル
４６  不透明流体
４６ａ  不透明流体
４６ｂ  不透明流体
４６ｃ  不透明流体
４７  荷電粒子
４７ａ  第１の粒子
４７ｂ  第２の粒子
４７ｃ  第３の粒子
５０  電子インク表示パネル
６０  電子インク表示パネル
６１  電子インク表示パネル
６２ａ  第１の表示容量
６４ａ  第２の表示容量
６６ａ  第３の表示容量
１００  電子インク表示パネル
１１０  電子インク表示パネル
１２０  電子インク表示パネル
２００  アクティブデバイスアレイ基板
２１０  画素ユニット
２１２  第１のサブ画素ユニット
２１２ａ  第１の蓄積容量
２１２ｂ  第１のアクティブデバイス
２１２ｃ  第１の画素電極
２１４  第２のサブ画素ユニット
２１４ａ  第２の蓄積容量
２１４ｂ  第２のアクティブデバイス
２１４ｃ  第２の画素電極
２１６  第３のサブ画素ユニット
２１６ａ  第３の蓄積容量
２１６ｂ  第３のアクティブデバイス
２１６ｃ  第３の画素電極
２２０  基板
２２０ａ  画素領域
２３０  走査線
２４０  データ線
３００  前面板
３１０  共通電極
３２０  保護膜
４００  電子インク層
４１０  第１のインク材料パターン
４１０ａ  第１の表示容量
４１０ａ’  第１の表示容量
４１２  マイクロカプセル
４１２ａ  第１の粒子
４１２ｂ  第２の粒子
４１２ｃ  透明流体
４１３  二色の荷電粒子
４２０  第２のインク材料パターン
４２０ａ  第２の表示容量
４２０ａ’  第２の表示容量
４２２  マイクロカプセル
４２２ａ  第３の粒子
４２２ｂ  第４の粒子
４２２ｃ  透明流体
４２３  二色の荷電粒子
４３０  第３のインク材料パターン
４３０ａ  第３の表示容量
４３０ａ’  第３の表示容量
４３２  マイクロカプセル
４３２ａ  第５の粒子
４３２ｂ  第６の粒子
４３２ｃ  透明流体
４３３  二色の荷電粒子
５００  電子インク表示パネル
５１０  電子インク表示パネル
６００  電子インク層
６１０  第１のインク材料パターン
６１０ａ  第１の表示容量
６２０  第２のインク材料パターン
６２０ａ  第２の表示容量
６３０  第３のインク材料パターン
６３０ａ  第３の表示容量
７００  前面板
７１０  共通電極
７２０  保護膜
８００  電子インク表示パネル
８１０  電子インク表示パネル
８５０  電子インク表示パネル
９００  アクティブデバイスアレイ基板
９１０  画素ユニット
９１２  第１のサブ画素ユニット
９１２ａ  第１の蓄積容量
９１２ｃ  第１の画素電極
９１４  第２のサブ画素ユニット
９１４ａ  第２の蓄積容量
９１４ｃ  第２の画素電極
９１６  第３のサブ画素ユニット
９１６ａ  第３の蓄積容量
９１６ｃ  第３の画素電極
Ｐｘ  サブ画素ユニット
Ｃ１  容量値
Ｃ２  容量値
Ｃ３  容量値
Ｃｅ１  容量値
Ｃｅ２  容量値
Ｃｅ３  容量値
Ｃｔ  容量値
Ｃｓ  蓄積容量
【図１Ａ】
2008276153.tif 000003
【図１Ｂ】
2008276153.tif 000004
【図１Ｃ】
2008276153.tif 000005
【図１Ｄ】
2008276153.tif 000006
【図２Ａ】
2008276153.tif 000007
【図２Ｂ】
2008276153.tif 000008
【図２Ｃ】
2008276153.tif 000009
【図２Ｄ】
2008276153.tif 000010
【図２Ｅ】
2008276153.tif 000011
【図３Ａ】
2008276153.tif 000012
【図３Ｂ】
2008276153.tif 000013
【図３Ｃ】
2008276153.tif 000014
【図３Ｄ】
2008276153.tif 000015
【図３Ｅ】
2008276153.tif 000016
【図４Ａ】
2008276153.tif 000017
【図４Ｂ】
2008276153.tif 000018
【図４Ｃ】
2008276153.tif 000019
【図４Ｄ】
2008276153.tif 000020
【図４Ｅ】
2008276153.tif 000021
【図５Ａ】
2008276153.tif 000022
【図５Ｂ】
2008276153.tif 000023
【図５Ｃ】
2008276153.tif 000024
【図５Ｄ】
2008276153.tif 000025
【図５Ｅ】
2008276153.tif 000026